(57)【要約】【課題】一見するだけで、直感的で且つ、感覚的にチャート表題の情報が得られる立体チャート模型の提供。【解決手段】  都道府県別クルマ社会の現状を立体的に表現する立体チャート模型Ａは、立方体１の各面に、県別の運転免許保有者数、自動車登録台数、交通事故件数、交通事故死亡者数、ひき逃げ件数、および自動車盗難件数に対応した大きさの複数の突起２を凸設している。  このため、立体チャート模型Ａを一見するだけで、都道府県毎の運転免許保有者数、自動車登録台数、交通事故件数、交通事故死亡者数、ひき逃げ件数、および自動車盗難件数の情報を、直感的で且つ、感覚的に得られる。【選択図】図１
2015049494.tif 000002
【特許請求の範囲】
【請求項１】
同一平面上に位置する複数の頂点を直線で結んで辺とし、これらの辺により囲まれる平面を面とする多面体と、
該多面体の各面に凸設される複数の突起とからなり、複数の要素で構成されるチャート表題を立体的に表現する立体チャート模型であって、
各要素は、それぞれ複種類の項目を備えるとともに、前記多面体の各面で表現され、
前記要素の各項目の概要は、前記突起の大きさで表現されることを特徴とする立体チャート模型。
【請求項２】
楕円形の上面、楕円形の底面、および前記上面と前記底面とを続ぐ側面からなる楕円柱と、
該楕円柱の各面に凸設される複数の突起とからなり、複数の要素で構成されるチャート表題を立体的に表現する立体チャート模型であって、
各要素は、それぞれ複種類の項目を備えるとともに、前記楕円柱の面で表現され、
前記要素の各項目の概要は、前記突起の大きさで表現されることを特徴とする立体チャート模型。
【請求項３】
中心となる１点から等距離にある球面によって囲まれる球体の前記球面に複数の突起を凸設してなり、
複数の項目で構成されるチャート表題を立体的に表現する立体チャート模型であって、  各項目の概要は、前記突起の大きさで表現されることを特徴とする立体チャート模型。
【請求項４】
各面はそれぞれテクスチャーが異なり、同一の面における各突起はそれぞれテクスチャーが異なることを特徴とする請求項１乃至請求項３の何れかに記載の立体チャート模型。
【請求項５】
前記突起は円錐形であり、
数値化した各項目の概要を、前記円錐形の底面積と高さで表現することを請求項１乃至請求項４の何れかに記載の立体チャート模型。
【請求項６】
前記突起は、手動で高さ調整が可能な柱状体であり、
数値化した各項目の概要を突起長で表現することを請求項１乃至請求項４の何れかに記載の立体チャート模型。
【請求項７】
前記突起は、伸縮可能なゴム製の柱状体であり、
前記多面体、前記楕円柱、または前記球体の内部に埋設した無線操作式のアクチュエータにより前記柱状体を伸縮させることにより、
数値化した各項目の概要を表現することを請求項１乃至請求項４の何れかに記載の立体チャート模型。
【発明の詳細な説明】
【技術分野】
【０００１】
本発明は、立体チャート模型に関する。
【背景技術】
【０００２】
特許文献１には、平面上に描いた３次元グラフが知られている。
【先行技術文献】
【特許文献】
【０００３】
【特許文献１】特開平４−１５１６９２号公報
【発明の概要】
【発明が解決しようとする課題】
【０００４】
平面上に描いた３次元グラフは、見ずらい。
【０００５】
本発明の目的は、一見するだけで、直感的で且つ、感覚的にチャート表題の情報が得られる立体チャート模型の提供にある。
【課題を解決するための手段】
【０００６】
［請求項１について］
複数の要素で構成されるチャート表題を立体的に表現する立体チャート模型は、多面体と、多面体の各面に凸設される複数の突起とからなる。
多面体は、同一平面上に位置する複数の頂点を直線で結んで辺とし、これらの辺により囲まれる平面を面としている。なお、多面体は、角柱や錐体も含む。
【０００７】
チャート表題の各要素は、それぞれ複種類の項目を備えるとともに、多面体の各面で表現される。
要素の各項目の概要は、突起の大きさで表現される。
【０００８】
立体チャート模型において、チャート表題の各要素は多面体の各面で表現され、要素の各項目の概要が各面の突起の大きさで表現される。このため、立体チャート模型を一見するだけで、直感的で且つ、感覚的にチャート表題の情報が得られる。
よって、立体チャート模型を見れば、チャート表題の状況判断を、正確且つ容易に行うことができる。
【０００９】
［請求項２について］
複数の要素で構成されるチャート表題を立体的に表現する立体チャート模型は、楕円柱と楕円柱の各面に凸設される複数の突起とからなる。
楕円柱は、楕円形の上面、楕円形の底面、および上面と底面とを続ぐ側面からなる。なお、楕円柱は、円柱も含む。
【００１０】
チャート表題の各要素は、それぞれ複種類の項目を備えるとともに、楕円柱の面で表現される。
要素の各項目の概要は、突起の大きさで表現される。
【００１１】
立体チャート模型において、チャート表題の各要素は楕円柱の各面で表現され、要素の各項目の概要が各面の突起の大きさで表現される。このため、立体チャート模型を一見するだけで、直感的で且つ、感覚的にチャート表題の情報が得られる。
よって、立体チャート模型を見れば、チャート表題の状況判断を、正確且つ容易に行うことができる。
【００１２】
［請求項３について］
複数の項目で構成されるチャート表題を立体的に表現する立体チャート模型は、球体の球面に複数の突起を凸設してなる。
球体は、中心となる１点から等距離にある球面によって囲まれる。
各項目の概要は、突起の大きさで表現される。
【００１３】
立体チャート模型において、チャート表題の各項目の概要は、球体の球面から凸設する突起の大きさで表現される。このため、立体チャート模型を一見するだけで、直感的で且つ、感覚的にチャート表題の情報が得られる。
よって、立体チャート模型を見れば、チャート表題の状況判断を、正確且つ容易に行うことができる。
【００１４】
［請求項４について］
請求項１の立体チャート模型では、多面体の各面のテクスチャーが、それぞれ異なる。そして、多面体の同一の面における各突起は、それぞれテクスチャーが異なる。
請求項２の立体チャート模型では、楕円柱の各面のテクスチャーが、それぞれ異なる。そして、楕円柱の同一の面における各突起は、それぞれテクスチャーが異なる。
請求項３の立体チャート模型では、球体の球面から凸設する各突起は、それぞれテクスチャーが異なる。
【００１５】
なお、テクスチャー（texture ）とは、表面の視覚的な色や明るさの均質さ、触覚的な比力の強弱を感じる凹凸といった部分的変化を、全体的にとらえた特徴、材質感覚、効果を指す。
【００１６】
［請求項５について］
突起は円錐形であり、数値化した各項目の概要を、円錐形の底面積と高さで表現している。各突起（円錐形）の底面積と高さを観察すれば、直感的で且つ、感覚的にチャート表題の情報が得られる。また、面に突設される突起が円錐形であるので強度が高い。
【００１７】
［請求項６について］
突起は、手動で高さ調整が可能な柱状体であり、数値化した各項目の概要を突起長で表現している。
立体チャート模型を観察する者が柱状の各突起の突起長に着目すれば、直感的で且つ、感覚的にチャート表題の情報が得られる。
面に突設される突起が柱状体であるので、立体チャート模型を作成する者が手動で高さ調整させ易い。
【００１８】
［請求項７について］
柱状の突起は、伸縮可能なゴム製の柱状体であり、立体チャート模型（多面体、楕円柱、球体）の内部に埋設した無線操作式のアクチュエータにより伸縮する。
チャート表題の作成や管理を行う集計ソフトをインストールした、パソコンやスマートフォンから無線でアクチュエータへ指令を出せば、数値化した各項目の概要を柱状体の長さで表現することができる。
【図面の簡単な説明】
【００１９】
【図１】本発明の実施例１に係る立体チャート模型の説明図である。
【図２】本発明の実施例２に係る立体チャート模型の説明図である。
【図３】本発明の実施例３に係る立体チャート模型の説明図である。
【図４】本発明の実施例４に係る立体チャート模型の説明図である。
【図５】本発明の実施例４に係る立体チャート模型の制御部分の説明図である。
【発明を実施するための形態】
【実施例１】
【００２０】
本発明の実施例１に係る立体チャート模型Ａ（請求項１、４、５に対応）を図１に基づいて説明する。
立方体１の各面に立体的に表現されるチャート表題は、「都道府県別クルマ社会の現状（２０ＸＸ年○○月）」である。
【００２１】
チャート表題の要素は、「運転免許保有者数」、「自動車登録台数」、「交通事故件数」、「交通事故死亡者数」、「ひき逃げ件数」、「自動車盗難件数」である。
項目は、各要素に、“都道府県の”を付加した内容である。
例えば、「運転免許保有者数」の要素は、「北海道の運転免許保有者数」、「青森県の運転免許保有者数」、…「沖縄県の運転免許保有者数」である。
【００２２】
概要は、各項目の具体的な値である。
例えば、「北海道の運転免許保有者数」項目の概要（前者／後者）は、「３３７０３４８人」、「７３人／２０歳以上人口１００人当たり」である。
【００２３】
地域別に都道府県を１０ブロック（１０色）に分け、同一ブロック内の円錐２群を同系色とし、概要（前者）の数値が大きい程、色が濃くなる様に円錐２を着色している。なお、立方体１の各面から突設する円錐２は、円錐２の相当する都道府県の地理上の位置と、面上の位置とが合致する様に面表面に接合されている。
【００２４】
立方体１の図示上面１１は、２０ＸＸ年○○月現在における都道府県別の運転免許保有者数のディスプレイ区画であり、テクスチャーとして、例えば、免許証の図柄１２が描かれている。
その図示上面１１から突設する円錐２の底面積は、特定の都道府県の２０歳以上人口１００人当たりの運転免許保有者数に対応し、円錐２の高さは特定の都道府県の運転免許保有者数に対応している。
【００２５】
立方体１の図示下面１３は、２０ＸＸ年○○月現在における都道府県別の自動車登録台数のディスプレイ区画であり、テクスチャーとして、例えば、自動車の図柄が描かれている。
その図示下面１３から突設する各円錐２の底面積は、特定の都道府県の自動車登録台数に対応し、円錐の高さは、特定の都道府県の人口１００人当たりの自動車登録台数に対応している。
【００２６】
立方体１の図示前左面１４は、２０ＸＸ年○○月現在における都道府県別の交通事故件数のディスプレイ区画であり、テクスチャーとして、例えば、衝突の図柄１５が描かれている。その図示前左面１４から突設する各円錐２の底面積は、特定の都道府県の交通事故件数に対応し、円錐２の高さは、特定の都道府県の人口１０万人当たりの交通事故件数に対応している。
【００２７】
立方体１の図示後右面１６は、２０ＸＸ年○○月現在における都道府県別の交通事故死亡者数のディスプレイ区画であり、テクスチャーとして、例えば、昇天する人の図柄が描かれている。
その図示後右面１６から突設する各円錐２の底面積は、特定の都道府県の交通事故死亡者数に対応し、円錐２の高さは、特定の都道府県の人口１０万人当たりの交通事故死亡者数に対応している。
【００２８】
立方体１の図示後左面１７は、２０ＸＸ年○○月現在における都道府県別のひき逃げ件数のディスプレイ区画であり、テクスチャーとして、例えば、逃走車の図柄が描かれている。
その図示後左面１７から突設する各円錐２の底面積は、特定の都道府県のひき逃げ件数に対応し、円錐２の高さは、特定の都道府県の人口１万人当たりのひき逃げ件数に対応している。
【００２９】
立方体１の図示前右面１８は、２０ＸＸ年○○月現在における都道府県別の自動車盗難件数のディスプレイ区画であり、テクスチャーとして、例えば、泥棒１９の図柄が描かれている。その図示前右面１８から突設する各円錐２の底面積は、特定の都道府県の自動車盗難件数に対応し、円錐２の高さは、特定の都道府県の人口１万人当たりの自動車盗難件数に対応している。
【００３０】
本実施例の立体チャート模型Ａは、以下の利点を有する。
立方体１の各面のテクスチャーを、「運転免許保有者数」、「自動車登録台数」、「交通事故件数」、「交通事故死亡者数」、「ひき逃げ件数」、「自動車盗難件数」の各要素に対応させた図柄にしている。
都道府県を地域別に１０ブロックに色分けし、同一ブロック内の円錐２群を同系色とし、該当する人数が多い程、色が濃くなる様に円錐２を着色している。そして、立方体１の面から突設する円錐２は、円錐２が相当する都道府県の地理上の位置と、面上の位置とを合致させている。
【００３１】
このため、立体チャート模型Ａを一見するだけで、都道府県毎の「運転免許保有者数」、「自動車登録台数」、「交通事故件数」、「交通事故死亡者数」、「ひき逃げ件数」、および「自動車盗難件数」の要素からなる「都道府県別クルマ社会の現状（２０ＸＸ年○○月）」のチャート表題の情報を、直感的で且つ、感覚的に得られる。
よって、立体チャート模型Ａを見れば、チャート表題の状況判断を、正確且つ容易に行うことができる。
【００３２】
突起を円錐２とし、要素の項目の概要（都道府県の運転免許保有者数、２０歳以上人口１００人当たりの運転免許保有者数）を、円錐２の底面積と高さで表現している。
このため、各円錐２の底面積と高さを観察すれば、直感的で且つ、感覚的に、チャート表題である、「都道府県別クルマ社会の現状（２０ＸＸ年○○月）」の情報が得られる。また、面表面に接合されている突起が円錐２であるので、円錐２と立方体１との接合強度が高い。
【００３３】
立方体１の面には、要素（運転免許保有者数、自動車登録台数、交通事故件数、交通事故死亡者数、ひき逃げ件数、自動車盗難件数）に関連するテクスチャー（免許証の図柄、自動車の図柄、衝突の図柄、昇天する人の図柄、逃走車の図柄、泥棒の図柄）が描かれている。このため、面に突設される各円錐２が何であるかが分かり易い。
【実施例２】
【００３４】
本発明の実施例２に係る立体チャート模型Ｂ（請求項３、４、５に対応）を図２に基づいて説明する。
本実施例の立体チャート模型Ｂは、地球に見立てた青い球体３の球表面３０に、世界の国々に見立てた複数の円錐３１を凸設している。なお、円錐３１は、円錐３１の相当する国の地理上の位置と、球面の位置とが合致する様に球表面３０に接合されている。
球表面３０から突設する円錐３１の底面積は、特定の国の人口に対応し、円錐３１の高さは特定の人口密度に対応している。
【００３５】
また、世界を６ブロック（アフリカ、アジア、ヨーロッパ、ラテンアメリカ＆カリブ海、北アメリカ、オセアニア）に分けて６つの系統色（赤、黄色、緑、青、紺、紫）を指定し、各ブロックを更に、順に５地域（東、中央、北、南、西アフリカ）、４地域（東、東南、南、西アジア）、４地域（東、北、南、西ヨーロッパ）、３地域（カリブ海、中央アメリカ、南アメリカ）、１地域（北アメリカ）、４地域（オーストラリア・ニュージーランド、メラネシア、ミクロネシア、ポリネシア）に区分して同系統色で濃さを変えて着色している。
【００３６】
球体３の球表面３０に立体的に表現されるチャート表題は、チャート表題は、「世界の人口（２０△△年）」である。
項目は、国別の人口／人口密度である。
例えば、「中華人民共和国の人口／人口密度」、「インドの人口／人口密度」、…「バチカンの人口／人口密度」である。
【００３７】
概要は、国別の人口／人口密度の具体的な数値である。例えば、中華人民共和国の人口は１３４５７５００００人で１平方ｋｍ当たり１４０人、インドの人口は１１９８００３０００人で１平方ｋｍ当たり３６４人、…バチカンの人口は７８４人で１平方ｋｍ当たり１７８２人である。
【００３８】
本実施例の立体チャート模型Ｂは、以下の利点を有する。
地球に見立てた青い球体３の球表面３０に、世界の国々に見立てた複数の円錐３１を、円錐３１の相当する国の地理上の位置と、球面上の位置とが合致する様に球表面３０に接合し、国別の人口／人口密度を、円錐３１の底面積と高さで表現している。そして、世界を６ブロックに分けて６つの系統色を指定し、各ブロックを更に区分して濃さを変えて着色している。
【００３９】
このため、立体チャート模型Ｂを一見するだけで、国別の人口／人口密度の要素からなる「世界の人口（２０△△年）」のチャート表題の情報を、直感的で且つ、感覚的に得られる。また、球表面３０から突設する円錐３１がどの国に相当するかや、ブロック内での順位を比べることができる。なお、球表面３０に接合されている突起が円錐３１であるので円錐３１と球体３との接合強度が高い。
【実施例３】
【００４０】
本発明の実施例３に係る立体チャート模型Ｃ（請求項１、４、６に対応）を図３に基づいて説明する。
本実施例の立体チャート模型Ｃは、タコ焼きプレートに見立てた黒い基台４の半球穴４１に、種類別のタコ焼きに見立てたタコ焼き状の球体５を連結し、タコ焼き店のショーケース内に載置されている。
球体５の連結個数は、種類別のタコ焼きの販売数に対応させている。
【００４１】
基台４に立体的に表現されるチャート表題は、「当店のタコ焼き販売数（今月分）」である。
項目は、種類別のタコ焼き販売数である。
例えば、「カレー味のタコ焼き販売数」、「塩味のタコ焼き販売数」、「醤油味のタコ焼き販売数」、「味噌味のタコ焼き販売数」、「激辛のタコ焼き販売数」である。
【００４２】
半球穴４１の穴底には、後述する雄ねじ５１が螺合する雌ねじ４０が埋設されている。  球体５の表面は、味が連想可能なテクスチャーに着色されている。
球体５の底面には、雄ねじ５１が取り付けられ、一番上を除く球体５の上面には、雌ねじ５２が埋設されている。タコ焼きが５０個売れる毎に、該当するテクスチャーの球体５を１個づつ連結していく。
【００４３】
本実施例の立体チャート模型Ｃは、以下の利点を有する。
立体チャート模型Ｃは、タコ焼きプレートに見立てた黒い基台４の半球穴４１に、味が連想可能なテクスチャーに着色したタコ焼き状の球体５を連結して、種類別のタコ焼き販売数を球体５の連結数で表現している。
【００４４】
このため、タコ焼き店に来店した客が、立体チャート模型Ｃを一見するだけで、種類別のタコ焼き販売数を、直感的で且つ、感覚的に把握できる。
また、お客に、他の味のタコ焼き購入を勧めることができる。
【実施例４】
【００４５】
本発明の実施例４に係る立体チャート模型Ｄ（請求項７に対応）を図４および図５に基づいて説明する。
本実施例の立体チャート模型Ｄは、Ｓ県庁舎内に設置されたＳ県に見立てた地図プレート６の上面に、大気汚染物質に見立てた複数の柱状体７を立設させている。
【００４６】
なお、柱状体６１は、柱状体７の相当する各測定時点の地理上の位置と、地図プレート６の地図６１上の位置とが合致する様に地図プレート６から立設している。
なお、各柱状体７の高さは、例えば、各測定地点における最新のＰＭ２．５の濃度に対応させている。
【００４７】
柱状体７は、伸縮可能なゴム製である。この柱状体７は、柱状体７毎のラック＆ピニオン機構と８１、柱状体７毎のステッピングモータ８２と、モータ通電回路８３と、受信回路８４とにより、高さが遠隔操作される。
【００４８】
本実施例の立体チャート模型Ｄは、以下の利点を有する。
Ｓ県庁舎内に来たＳ県民等が立体チャート模型Ｄを見れば、各測定地点における最新のＰＭ２．５の濃度が直感的で且つ、感覚的に把握できる。
【００４９】
本発明は、上記実施例以外に、つぎの実施態様を含む。
ａ．多面体は、下記のものでも良い。
・全ての二面角が１８０度未満の凸多面体。
・いずれかの二面角が180 度を超える凹多面体。
・全ての面が合同な正多角形で、全ての頂点形状が合同な正多角形である正多面体
・全ての面が正多角形で、全ての頂点形状が合同な凸多面体のうち、正多面体以外半      正多面体。
・全ての面が合同で、二面角が等しい多面体のうち、正多面体以外で、各面の中心を      結ぶと半正多面体になるカタランの立体。
・全ての面が正三角形であるカタランの立体。
・全ての面が正三角形であるデルタ多面体
・２枚の平行な底面と四辺形の側面からなる角柱
・２枚の平行な底面と三角形の側面からなる反角柱
・全ての面が正多角形である凸多面体のうち、正多面体、半正多面体、角柱、反角柱      以外のジョンソンの立体。
・１枚の底面と三角形の側面からなる角錐。
・２つの角錐を底面で張り合わせた双角錐。
・角錐と角柱を底面で張り合わせた角錐柱。
・辺の数の比が１：２で平行な２枚の底面と、四角形と三角形の側面を持つ角台塔。    ・向かい合った辺同士が全て平行になっている多角形のみで構成されているゾーン多      面体。
・全ての面が合同な菱形である等面菱形多面体。
・ゾーン多面体の内、単独で空間充填をする平行多面体。
・面または頂点形状に星型多角形がある星型多面体。
・全ての面が合同な正多角形（星型多角形を含む）で、全ての頂点形状が合同な正多      角形（星型多角形を含む）である多面体のうち、凸正多面体以外の星型正多面体。    ・全ての面が正多角形（星型正多角形）で、全ての頂点形状が合同な一様多面体。
・同一形状の多面体を複数個重ね合わせた複合多面体。
・複数の多面体を体積の一部が共有するようにして重ねた複合体。
・貫通した孔のある穿孔多面体。
・全ての面が合同な正多角形で、ジグザグの頂点形状を持ち空間を二分する無限の面      を持つねじれ正多面体。
【００５０】
ｂ．楕円柱は、正円柱、虚楕円柱面、双曲柱面、または放物柱面を含む。
【符号の説明】
【００５１】
Ａ、Ｂ、Ｃ  立体チャート模型
１  立方体（多面体）
２、３１  円錐（突起）
３  球体
４  基台（多面体）
５  球体（突起）
６  地図プレート（多面体）
７  柱状体（突起）
１１  上面（面）
１３  下面（面）
１４  前左面（面）
１６  後右面（面）
１７  後右面（面）
１８  後左面（面）
３０  球表面（球面）
【図１】
2015049494.tif 000003
【図２】
2015049494.tif 000004
【図３】
2015049494.tif 000005
【図４】
2015049494.tif 000006
【図５】
2015049494.tif 000007